Podtech/llm-jp-corpus-v4-ja_patent huggingface dataset:
(57)【要約】      （修正有）【課題】線香の指定本数取り出しが容易で、線香箱からの零れ落ちる危険性と携帯移動中の破損の危険性を安易に安全に防止できる線香入れを提供する。【解決手段】線香入れ本体１内に円筒形の小容器４を設置し、その中に線香を３本ずつ収納する。線香の取り出しを安易にし、仏前で慌てて線香箱から線香の零れ落ちるのを防ぎ、かつ、小容器がそれぞれ衝撃を吸収し移動中の線香の破損を防ぐ。【選択図】図１
0003221666.tif 000002
【実用新案登録請求の範囲】
【請求項１】
線香入れ本体に線香を３本ずつ収納出来る円柱形の棒を設置し、線香を取り出し易くかつ、携帯移動時の破損を防ぐ線香入れ。
【考案の詳細な説明】
【技術分野】
【０００１】本考案は線香入れに関する。
【背景技術】
【０００２】従来の線香入れは容器に数十本束になって入れられている。【０００３】しかしながら、従来の線香入れは取り出すときに指定する本数を取り出しづらく時には箱から零れ落ちてしまうことや、携帯して移動中に折れてしまう欠点があった。
【考案の概要】
【考案が解決しようとする課題】
【００４】線香の指定本数取り出しの困難。
線香箱からの零れ落ちる危険性。
携帯移動中の破損の危険性。
【課題を解決するための手段】
【００５】筒状容器に線香を３本ずつ収納することで取り出しを確実にし、零れ落ちを防ぎ、携帯移動中の線香の破損を無くします。
【考案の効果】
【００６】宗派にもよるが普通線香は３本たてる（理由は複数ある）。数十本の束から抜き取る手間は尋常でなく、まして混雑した本堂前では気も焦り箱から線香を落とす可能性も増す。そして、残数が減る毎に容器内の隙間が増え線香が容器内で動き携帯移動中に破損しやすくなる。本考案は筒状容器内に更に小さい筒を入れ線香を３本ずつ収納し線香の先を露出させ手で摘まみ易くしている。それは確実に容器から線香を抜き取ることも可能にし、かつ外の筒と中の筒双方の緩衝作用で線香の破損もふせぐ。
【図面の簡単な説明】
【００７】
【図１】本考案を実施するための最良の第１の形態の全体図である。
【図２】線香を入れた状態の図すなわち上部図面Ａである。
【考案を実施するための形態】
【００８】以上の説明から明らかなように、本考案にあっては次に列挙する効果が得られる。
（１）（［請求項１］の構成要件）とで構成されているので、線香入れから確実に３本ずつ線香を取り出すことが出来る。したがって、線香の束から取り出す時の破損を防ぐことが出来る。
【実施例】
【００９】円筒状の上蓋を開け上蓋は本体中央から出た紐で固定され落下を防ぐ。【０１０】中に設置された円柱形の容器に入れられた線香を取り出し使用する。【０１１】参拝後移動する時も小さい容器内で線香は安全に固定される。【０１２】従来は容器内の線香が少なくなったら破損すること著しかった、仏前に折れた線香を立てる事は出来ないのでその場で難儀すること多々であった。
【符号の説明】
【０１３】１線香入れ本体
２上蓋落下防止用紐
３上蓋
４線香整理及び破損防止用小容器
５線香
【図１】
0003221666.tif 000003
【図２】
0003221666.tif 000004
(57)【要約】      （修正有）【課題】表面を均一に焼くことができ、従来とは異なる食感を与えることが可能になる鶏皮串を提供する。【解決手段】細長くカットされた３枚以上の鶏皮２ａ〜２ｂを串棒１に巻きつけながら刺し、それを順に連続で刺した形状にすることで、従来の手法の鶏皮であるＳ字またＵ字に曲げて一つずつ順に串に刺した状態の鶏皮串と比べ、鶏皮串凹凸や鶏皮ごとの隙間が生じにくくなり、表面を均一に焼くことが可能になる。また、表面はカリッと内面はモチっとした新しい触感を生み出すことが可能になる。【選択図】図１
0003221667.tif 000002
【実用新案登録請求の範囲】
【請求項１】
串棒と、
3枚以上のカットされ、前記串棒の一端から巻きつけられる様に刺された1枚目の鶏皮と、
細長くカットされ、前記一端から、前記1枚目の鶏皮に続いて巻きつけられる様に刺された2枚目の鶏皮と、
前記2枚目の鶏皮に続いて巻きつけられる様に刺された3枚目の鶏皮を備えた鶏皮串。
【考案の詳細な説明】
【考案の詳細な説明】
【０００１】
本考案は、カットされた鶏皮を串に巻きつけながら刺すことで、従来の鶏皮串よりも、表面部分の凹凸が少なく、鶏皮同士の間に隙間が生まれないことで、表面を均一に焼くことができ、従来とは異なる食感が特徴の鶏皮巻き串である。
【技術分野】
【０００２】
本考案は、カットされた鶏皮を巻きつけるように刺された鶏皮串に関するものである。
【背景技術】
【０００３】
食品店、飲食店等において販売されている焼き鳥の鶏皮串は、鶏皮を細かくカットし、S字またU字にしひとつずつ順に詰めて串に刺したものである。
【考案の概要】
【考案が解決しようとする課題】
【０００４】
鶏皮をS字またU字で一つずつ順に串に刺した状態の焼き鳥は、S字またはU字形状の間に串部分隙間が生まれることがある。その結果、焼きの作業で皮の外面と内面の焼きムラやが発生する。また上記の方法では、焼きムラを無くし商品として安定した仕上がりを保つ為には、脂をしっかり落としたカリカリの状態か、脂を落としきらず焼いたモチモチとした状態の、どちらか極端な状態で焼き上げる方法をとる。従って、鶏皮の隙間をなくすように巻きつけることにより、前述の欠点を解決し、さらに従来の鶏皮串にはない新しい食感の鶏皮串である。
【課題を解決するための手段】
【０００５】
本考案では、カットした鶏皮を、串に刺しながら巻きつけ鶏皮同士の隙間をなくすことことにより問題点を解決している。
【考案の効果】
【０００６】
本考案による、鶏皮を巻きつけた形態の鶏皮串は、従来の鶏皮串より表面部分の凹凸が少なく隙間なく巻きつけることで、表面は均一に焼くことが可能になる。さらに、巻きつけられた表面はしっかり脂が落ちカリカリになり、皮の内面の旨味は閉じ込められモチモチとした食感となる。
【図面の簡単な説明】
【０００７】
【図１】本考案の一実施形態による鶏皮串を示す図である。
【図２】本考案の一実施形態による鶏皮串の製造段階を示す説明図である。
【考案を実施するための形態】
【０００８】
以下添付図面１に従って形態を説明する。１は串であり、2a、２b、2cは鶏皮であり、串１に巻きついている形態である。
【実施例】
【０００９】
本考案の鶏皮串の製造工程は添付図面２に従って説明する。次の（１）から（８）の順により実施される。なお、この工程は３枚の鶏皮（符号2a,2b,2c）を使用した場合であり、串（符号1）の長さにより構成される鶏皮の枚数は増えるものとする。
（１）図２（イ）に示すように、全長５センチ〜１０センチ程度にカットした鶏皮（符号2a）の端から１ｃｍあたりのところを串（符号1）の先端から刺す。
（２）図２（ロ）に示すように、鶏皮（符号2a）を、（１）の状態から串（符号1）に巻きつけ一周させ（１）で刺した面と同じ面を再度刺す。
（３）図２（ハ）に示すように、鶏皮（符号2a）を端まで巻きつけ刺したところで串（符号1）手元部分へ押し込む。
（４）図２（ニ）に示すように、全長５センチ〜１０センチ程度にカットした鶏皮（符号2b）の端から１ｃｍあたりのところを串（符号1）の先端から刺す。
（５）図２（ホ）に示すように、鶏皮（符号2b）を、（４）の状態から串（符号1）に巻きつけ一周させ（４）で刺した面と同じ面を再度刺す。
（６）図２（ヘ）に示すように、鶏皮（符号2b）を端まで巻きつけ刺したところで串（符号1）手元部分へ押し込み、鶏皮（符号2a）と密接させる。
（７）図２（ト）に示すように、全長５センチ〜１０センチ程度にカットした鶏皮（符号2c）の端から１ｃｍあたりのところを串（符号1）の先端から刺し、この状態からと同様に巻きつけ串（符号1）に巻きつけ一周させ前記で刺した面と同じ面を再度刺し、鶏皮（符号2c）を端まで巻きつけ刺したところで串（符号1）手元部分へ押し込む。
（８）図２（チ）は、3枚の鶏皮（符号2a,2b,2c）を串（符号1）に刺した状態である。
【符号の説明】
【００１０】
1.  串
2a. 鶏皮1枚目
2b. 鶏皮2枚目
2c. 鶏皮3枚目
【図１】
0003221667.tif 000003
【図２】
0003221667.tif 000004
【手続補正書】
【提出日】平成31年4月5日(2019.4.5)
【手続補正１】
【補正対象書類名】実用新案登録請求の範囲
【補正対象項目名】請求項１
【補正方法】変更
【補正の内容】
【請求項１】
串棒と、
3枚以上の細長くカットされた鶏皮を串棒に巻きつけながら刺した鶏皮串であって、
前記串棒の一端から巻きつけられる様に刺された1枚目の鶏皮と、
前記一端から、前記1枚目の鶏皮に続いて巻きつけられる様に刺された2枚目の鶏皮と、
前記2枚目の鶏皮に続いて巻きつけられる様に刺された3枚目の鶏皮と、
さらに串の長さに応じて３枚目以降を同様に１枚ずつ巻きつけられる様に刺されている鶏皮串。
(57)【要約】      （修正有）【課題】軽くて丈夫な植物樹脂の板を提供する。【解決手段】植物繊維を縦横十字に重ねた植物樹脂で固め、波状に加工した板２を表裏の板１、３で挟んで植物樹脂で接着し強度をもたせ衝撃に強くし、さらに高圧力で成形し、薄くすることで、軽くて丈夫になる。また、植物性の原料を用いることで、石油資源の枯渇、地球環境や生態系への悪影響を防ぐのに役立つ。【選択図】図１
0003221662.tif 000002
【実用新案登録請求の範囲】
【請求項１】
植物繊維を縦横十字に重ねた植物樹脂で固めた板を製造し、波状に加工した板を表裏の板で挟んで植物樹脂で接着し強度をもたせ衝撃に強くし、またフィルムを凹凸にかみ合わせた板を表裏の板に挟み込むことで、熱伝導や音響伝導を遮断することができ、さらに高圧力で成形し、薄くすることで、軽くて丈夫になる点を特徴とする板。
【考案の詳細な説明】
【技術分野】
【０００１】
本考案は、原料のパンパスに自生する草の葉の植物繊維を縦横十字に重ね、植物樹脂で固めて圧縮した、軽くて丈夫な板に関するものである。
【考案の概要】
【考案が解決しようとする課題】
【０００２】
石油系繊維を用いた板は成形性は高いものの、衝撃性には限界があり、また石油資源の枯渇、地球環境への負荷や生態系への悪影響があるが、原料に植物繊維を用い縦横十字に重ね、植物樹脂で固めて圧縮することで、軽くて丈夫な板になり、さらに、植物性の原料を用いることにより、石油資源の枯渇を防ぎ、地球環境への負荷や生態系への悪影響が少なくなり、前述の欠点を解決しようとするものである。
【課題を解決するための手段】
【０００３】
本考案は、植物の葉繊維を原料とし、植物樹脂で圧縮加工した板を製造し、波状に加工した板を表裏の板で挟んで植物樹脂で接着し強度をもたせ衝撃に強くし、またフィルムを凹凸にかみ合わせた板を表裏の板に挟み込むことで、断熱性と遮音性を高めることができる。さらに、高圧力で成形し、薄くすることで、軽くて丈夫な資材とする。
【考案の効果】
【０００４】
上述の様に、本考案の板は強度や断熱性が高くさらに軽量になることで、様々な用途で利用することに役立つ。さらに植物由来の原料でのみ製造されるため、自然に廃棄されても分解し還元され、地球環境への負荷や生態系への悪影響も少なくなる。
【図面の簡単な説明】
【０００５】
【図１】本考案の耐衝撃性を高める構造の板の斜視図である。
【図２】本考案の断熱性と遮音性を高める構造の板の断面図である。
【符号の説明】
【０００６】
１  植物樹脂の板（表）
２  植物樹脂の波状に加工した板
３  植物樹脂の板（裏）
４  植物樹脂の板（表）
５  フィルムを凹凸にかみ合わせた植物樹脂の板
６  植物樹脂の板（裏）
【図１】
0003221662.tif 000003
【図２】
0003221662.tif 000004
【手続補正書】
【提出日】平成31年3月20日(2019.3.20)
【手続補正１】
【補正対象書類名】実用新案登録請求の範囲
【補正対象項目名】全文
【補正方法】変更
【補正の内容】
【実用新案登録請求の範囲】
【請求項１】
波状に加工した１枚もしくは２枚の板を、上下の板で挟み込んだ板であって、植物繊維を縦横十字に重ねて、植物樹脂で固めた板であることを特徴とする、植物樹脂の板。
(57)【要約】      （修正有）【課題】履歴書や経歴書、年賀状や暑中見舞いなどを手書きする際、文字間や行間を等間隔にするための補助線を引くことができる定規を提供する。【解決手段】履歴書や経歴書、年賀状や暑中見舞いなどを手書きする際、文字間や行間の補助線を筆記具で引く定規であって、５ｍｍ、８ｍｍまたは１０ｍｍの等間隔の穴が空いており、穴に筆記具でしるしを付けることで、しるしが等間隔の補助線の始終点となり、直線を始終点に合わせて引くことで、等間隔の補助線を引くことができる。【選択図】図１
0003221661.tif 000002
【実用新案登録請求の範囲】
【請求項１】
履歴書や経歴書、年賀状や手中見舞いなどを手書きする際、文字間や行間の補助線を筆記具で引く定規。
定規に等間隔の穴（５ｍｍ、８ｍｍ、１０ｍｍ）が空いており、その穴に筆記具でしるしを付けることで、そのしるしが等間隔の補助線の始終点となり、直線を始終点に合わせて引くことで、等間隔の補助線を引くことができます。
【考案の詳細な説明】
【技術分野】
【０００１】本考案は、定規に等間隔の穴を空けることにより、等間隔の補助線を引くことができるものです。
【背景技術】
【０００２】従来は、履歴書や経歴書、年賀状や手中見舞いなどを手書きする際、文字間や行間が等間隔にならず、読みにくい文章に成りがちでした。
【考案の概要】
【考案が解決しようとする課題】
【０００３】手書きする際、文字間や行間が等間隔にならない。
【課題を解決するための手段】
【０００４】定規に等間隔の穴を空けることにより、その穴に筆記具で等間隔のしるしを付けることができるようにします。
【考案の効果】
【０００５】定規に等間隔の穴（５ｍｍ、８ｍｍ、１０ｍｍ）が空いており、その穴に筆記具でしるしを付けることで、そのしるしが等間隔の補助線の始終点となります。
直線を始終点に合わせて引くことで、等間隔の補助線を引くことができます。
【図面の簡単な説明】
【０００６】
【図１】等間隔の穴を空けた定規（平面図）
【図２】等間隔の穴を空けた定規（断面図）
【図３】＜事例＞この定規を用いて書いた等間隔の補助線
【図１】
0003221661.tif 000003
【図２】
0003221661.tif 000004
【図３】
0003221661.tif 000005
【手続補正書】
【提出日】平成31年3月31日(2019.3.31)
【手続補正１】
【補正対象書類名】実用新案登録請求の範囲
【補正対象項目名】全文
【補正方法】変更
【補正の内容】
【実用新案登録請求の範囲】
【請求項１】
履歴書や経歴書、年賀状や暑中見舞いなどを手書きする際、文字間や行間の補助線を筆記具で引く定規であって、５ｍｍ、８ｍｍまたは１０ｍｍの等間隔の穴が空いており、前記穴に筆記具でしるしを付けることで、前記しるしが等間隔の補助線の始終点となり、直線を始終点に合わせて引くことで、等間隔の補助線を引くことができることを特徴とする定規。
(57)【要約】      （修正有）【課題】視覚障がい者が、音により正確に吹き矢を照準できる視覚障がい者用吹き矢赤外線照準システムを提供する。【解決手段】視覚障がい者用吹き矢赤外線照準システムは、吹き矢の的の中央上部に上下可動式台座１に備え付けた赤外線発光ユニット２と吹き矢の筒本体上部に発音体付赤外線受信システムに備え付けた受光ユニットから構成され、赤外線発光ユニット２は、発光にさせる光学部５と赤外線を発光する発光素子６及び発光した赤外線に指向性を持たせるパイプ７を備え、赤外線受光ユニット３は、受光した赤外線の指向性及び外光の影響を減少させるパイプ８と赤外線を受光する受光素子９と受光させる光学部１０と音を発する発音体を備える。【選択図】図３
0003221668.tif 000002
【実用新案登録請求の範囲】
【請求項１】
視覚障がい者用吹き矢赤外線照準システムであって、吹き矢の的の中央上部に上下可動式台座を設け、前記台座に赤外線発光システムを設けた的と吹き矢の筒本体上部に発音体付き赤外線受信システムを設けた吹き矢の筒を備える。
前記赤外線発光システムの赤外線発光素子が発光し赤外線を発信し、前記吹き矢の筒本体上部に発音体付赤外線受信システムに備えられた受光素子が赤外線を受信する。
前記赤外線受信システムに備えられた受光素子が赤外線を受信し電気信号を発生する。
赤外線受信システムに備えられた発音体が電気信号を受信する。
視覚障がい者用吹き矢赤外線照準システム
【考案の詳細な説明】
【技術分野】
【０００１】  本考案は、吹き矢の的の中央上部に上下可動式台座を設け、前記台座に赤外線発光システムを設け、吹き矢の筒本体上部に発音体付赤外線受信システムを設けた視覚障がい者用吹き矢赤外線照準システムに関するもの。
【背景技術】
【０００２】  視覚障がい者が、吹き矢をする場合、目視で的が見えないため的を照準することができなく吹き矢ができない。
【考案の概要】
【考案が解決しようとする課題】
【０００３】  従来の吹き矢の的及び吹き矢の筒は、晴目者用であり視覚障がい者は的を照準することができない。従って目視による的の照準を音による的の照準にすることにより解決しようとするものである。
【課題を解決するための手段】
【０００４】  本考案は、吹き矢の的の中央上部に上下可動式台座を設け、前記台座に赤外線発光システムを設けるとともに、吹き矢の筒本体上部に発音体付赤外線受信システムを設け、前記吹き矢の的の中央上部に上下可動式台座に備え付けられた赤外線発光システムの赤外線発光素子が発光し赤外線を発信する。
前記吹き矢の筒本体上部に発音体付赤外線受信システムに備えられた受光素子が、赤外線発光素子が発信された赤外線を受信し、赤外線受信システムに備えられた受光素子からの受信電気信号受信することにより前記赤外線受信システムに備えられた発音体からの音による正確な照準が可能となり問題を解決している。
【図面の簡単な説明】
【０００５】
【図１】本考案の視覚障がい者用吹き矢赤外線照準システムの実施例を示す平面図である。
【図２】本考案の視覚障がい者用吹き矢赤外線照準システムの実施例を示す断面図である。
【図３】本考案の視覚障がい者用吹き矢赤外線照準システムの赤外線発光システム及び赤外線受光システムの実施例を示す断面図である。
【図４】本考案の視覚障がい者用吹き矢赤外線照準システムの構成を示す構成図である。
【図１】
0003221668.tif 000003
【図２】
0003221668.tif 000004
【図３】
0003221668.tif 000005
【図４】
0003221668.tif 000006
【手続補正書】
【提出日】平成31年3月23日(2019.3.23)
【手続補正１】
【補正対象書類名】実用新案登録請求の範囲
【補正対象項目名】請求項１
【補正方法】変更
【補正の内容】
【請求項１】
視覚障がい者用吹き矢赤外線照準システムにおいて、
（１）吹き矢的中央上部の上下可動式台座は、上下可動式台座スライド部と台座を備える。
（２）赤外線発光ユニットは、電源と光学部と赤外線発光素子と指向性パイプを備える。
（３）赤外線受光ユニットは、指向性パイプと赤外線受光素子と光学部と発音体と電源を備える。
以上の（１）〜（３）の構成からなる視覚障がい者用吹き矢赤外線照準システム
(57)【要約】      （修正有）【課題】９０度傾けた顕微鏡で垂直方向の観察を可能とした顕微鏡ステージ用プレートを提供する。【解決手段】プレートの上下左右８ヵ所を切り欠き加工し、そこにゴムバンドをかけて試料を固定できるようにする。プレートは、横倒しにした顕微鏡ステージ部分にあるねじ穴を利用して固定する。【選択図】図１
0003221670.tif 000002
【実用新案登録請求の範囲】
【請求項１】
上下左右８ヵ所に切り欠きを施して、そこにゴムバンドをかけて試料を固定できるようにし、横倒しにした顕微鏡ステージ部分のねじ穴を利用して固定するプレート。
【考案の詳細な説明】
【技術分野】
【０００１】  本考案は垂直方向での監視を可能にする顕微鏡ステージ用プレートに関するものである。
【背景技術】
【０００２】  従来、顕微鏡の観察は水平方向であり、顕微鏡を９０度傾けて試料を観察する場合、試料が落下するという問題がある。
【考案の概要】
【考案が解決しようとする課題】
【０００３】  顕微鏡ステージに垂直方向に取り付けた試料を固定することができるプレートを設置してこの問題を解決しようというものである。
【課題を解決するための手段】
【０００４】  本校案は、顕微鏡用のステージにネジで取り付けるプレートを作成し、そのプレートに切り欠きを施してゴムバンドをかけて試料を固定し、この問題を解決している。
【考案の効果】
【０００５】  本考案によって、試料の重力の影響や浮遊運動など垂直方向の観察が可能となる。
【図面の簡単な説明】
【図１】本考案の垂直方向での監視を可能にする顕微鏡ステージ用プレートを顕微鏡に取り付けた実施例を示す。
【図２】本考案の垂直方向での監視を可能にする顕微鏡ステージ用プレートの展開図である。
【考案を実施するための形態】
【０００６】  プレートの上下左右８ヵ所に切り欠き加工し、そこにゴムバンドをかけて試料を固定できるようにする。プレートは、横倒しにした顕微鏡ステージ部分にあるねじ穴を利用して固定する。
【実施例】
【０００７】  以下、添付図面に従って実施例を説明する。顕微鏡ステージ用プレートを顕微鏡ステージに取り付け、顕微鏡ステージのネジ穴を使って固定する。上下左右８ヵ所の切り欠きにゴムバンドをかけて試料を固定する。
【図１】
0003221670.tif 000003
【図２】
0003221670.tif 000004
(57)【要約】【課題】機材が少なく、設置に掛かる手間が省けることができ、しかも従来よりも短い距離で静止することができ、また、人工芝が機体に掛かる衝撃を和らげ、機体の損傷リスクを減らすことができる固定翼航空機着陸器具を提供する。【解決手段】固定翼型航空機３を着陸させる着陸エリアに網２を重ね置いた人工芝１を敷設してなることを特徴とする。網２は、縦紐２ａと横紐２ｂとが無数にあり、当該網２の横紐２ｂが機体に引っ掛かり、短い距離で静止するものとする。【選択図】図１
0003221638.tif 000002
【実用新案登録請求の範囲】
【請求項１】
固定翼型航空機を着陸させる着陸エリアに網を重ね置いた人工芝を敷設してなることを特徴とする固定翼航空機着陸器具。
【請求項２】
網は、縦紐と横紐とが無数にあり、当該網の横紐が機体に引っ掛かり、短い距離で静止する請求項１に記載の固定翼航空機着陸器具。
【考案の詳細な説明】
【技術分野】
【０００１】
本考案は、ブレーキ機能を有する固定翼航空機着陸器具に関する。
【背景技術】
【０００２】
近年、固定翼型のドローンは１０ｍ／ｓ程度の速度を下回ると失速し墜落してしまう。失速しない速度で滑走路に侵入した場合、機体が静止するまでに、数十メートルの距離を滑走する必要がある。また、着陸直前では低速のため、舵を切ることが難しく、風の影響を大きく受けて機体が蛇行してしまう。しかも、風向きにより滑走路に侵入する方角が変わる。
【０００３】
上記の理由により、固定翼型ドローンを着陸させるためには縦横１００ｍ以上の水平な滑走路がないと安全に運用することができない。この条件を満たす理想的な利用可能な滑走路は、国内の農地にはほとんど存在せず、固定翼型ドローンの運用の最大の課題となっている。
【０００４】
そこで、上記課題を解決すべく、例えば特許文献１に開示されているような航空機体の着陸方法が提案されている。これは、牽引され軌道上を航行する航空体を、連結した機器により確実、安全に、着陸させるものであり、常時、着陸用台車と航空体の連結を保持し、確実、安全に台車に誘導させる方法である。又は、地上に回転抵抗付き弾性空転体を敷設し、この空転体の上に着陸を為す方法である。
【先行技術文献】
【特許文献】
【０００５】
【特許文献１】特開２００９−１９０７１２号公報
【考案の概要】
【考案が解決しようとする課題】
【０００６】
しかしながら、上記した特許文献１の場合、牽引車、着陸用台車、後部制御車、牽引ロープと使用する機材が多く、且つ設置に手間が掛かる等の問題点を有していた。
【０００７】
そこで、本考案は叙上のような従来存した諸事情に鑑み創出されたもので、機材が少なく、設置に掛かる手間が省けることができ、しかも従来よりも短い距離で静止することができ、且つ機体の損傷リスクを減らすことができる固定翼航空機着陸器具を提供することを目的とする。
【課題を解決するための手段】
【０００８】
上述した課題を解決するために、本考案にあっては、固定翼型航空機を着陸させる着陸エリアに網を重ね置いた人工芝を敷設してなることを特徴とする。
【０００９】
網は、縦紐と横紐とが無数にあり、当該網の横紐が機体に引っ掛かり、短い距離で静止するものとできる。
【考案の効果】
【００１０】
本考案によれば、機材が少なく、設置に掛かる手間が省けることができ、しかも従来よりも短い距離で静止することができる。また、機体の損傷リスクを減らすことができる。
【００１１】
すなわち、本考案では、固定翼型航空機を着陸させる着陸エリアに網を重ね置いた人工芝を敷設してなるので、固定翼型航空機の着陸時に、網の紐が機体に触れて摩擦力を増すことで、従来よりも短い距離で静止することができる。また、人工芝が機体に掛かる衝撃を和らげ、機体の損傷リスクを減らすことができる。
【００１２】
網は、縦紐と横紐とが無数にあり、当該網の横紐が機体に引っ掛かり、短い距離で静止するものとしたことで、固定翼型航空機を確実かつ安全に着陸させることができる。
【図面の簡単な説明】
【００１３】
【図１】本考案を実施するための一形態における固定翼航空機着陸器具を示す説明図である。
【図２】同じく固定翼航空機着陸器具を示す側面図である。
【考案を実施するための形態】
【００１４】
以下、図面を参照して本考案の実施の一形態を詳細に説明する。本実施形態に係る固定翼航空機着陸器具では、図１、図２に示すように、例えば数十メートルの長さに人工芝１を敷き、その上に網２を重ね置いたもので、これを固定翼型航空機３の着陸エリアに敷設してある。
【００１５】
また、網２は、縦紐２ａと横紐２ｂとが無数にあり、当該網２の横紐２ｂが機体に引っ掛かり、短い距離で静止するものとした。このとき横紐２ｂとは、固定翼型航空機３の着陸進入方向に対して横向きに張り巡らせている。
【００１６】
次に、以上のように構成された形態についての使用の一例について説明すると、先ず、図２に示すように、固定翼型航空機３の着陸時に、網２の横紐２ｂが機体に触れて摩擦力を増すことで、従来よりも短い距離で静止する。また、人工芝１が機体に掛かる衝撃を和らげ、機体の損傷リスクを減らす。
【符号の説明】
【００１７】
１…人工芝
２…網
２ａ…縦紐
２ｂ…横紐
３…固定翼型航空機
【図１】
0003221638.tif 000003
【図２】
0003221638.tif 000004
(57)【要約】      （修正有）【課題】おしり洗浄器具の提供。【解決手段】洗浄液容器２の口部に、先端に複数の小穴を有する円錐形状又は多錐形状の水吐出部材１を備えた。【選択図】図１
0003221788.tif 000002
【実用新案登録請求の範囲】
【請求項１】
洗浄液容器の口部に、先端に複数の小穴を有する円錐形状又は多角錐形状の水吐出部材を備える事を特徴とする、おしり洗浄器具。
【請求項２】
前記複数の小穴は、水吐出穴及び空気穴である事を特徴とする、請求項１記載のおしり洗浄器具。
【請求項３】
前記水吐出部材は、前記洗浄液容器の口部と係合される蓋部を備える事を特徴とする、請求項１又は請求項２記載のおしり洗浄器具。
【考案の詳細な説明】
【技術分野】
【０００１】  本考案は、おしり洗浄器具に関するものである。
【技術背景】
【０００２】  排便後などにおいて、おしりを清潔に保つ事は痔病などの疾患を有する人に限らず必要である。今現在、固定式のおしり洗浄器は一般的だが家庭内なら気にならないが、外出先などでおしり洗浄器がない場合もあり、また、固定式のおしり洗浄器具を使う場合には衛生面が気になる人もいる。
【考案の概要】
【考案が解決しようとする課題】
【０００３】  本考案は、上記従来技術の有する欠点を解消した新規のおしり洗浄器具を提供する事を目的としたものである。
【課題を解決するための手段】
【０００４】  洗浄液容器の口部に、先端に複数の小穴を有する円錐形状又は多角錐状の水吐出部材を備える事を特徴とし、円錐形状又は多角錐状の先端には、水吐出穴及び空気穴の小穴を設けてあり、円錐形状又は多角錐状が洗浄液容器の口部と係合されている。したがって、部品点数も少なく低コストで製作でき、使い捨ても可能になっている。さらに、コンパクトに出来ており持ち運びも可能である。
【考案の効果】
【０００５】  外出先での固定式おしり洗浄器はノズル部分が固定式になっている事から、衛生面が気になったり持ち運びができなかったりする。本考案のおしり洗浄器具は使い捨ても可能なので衛生面を気にせず使用でき、かつコンパクトに作製されており持ち運びも可能である。
【考案を実施する為の最良の形態】
【０００６】  洗浄液容器の口部をおしり洗浄器具の蓋部と係合し、洗浄液容器に水などの洗浄液を入れ、その洗浄液容器を手で押すと円錐形状又は多角錘形状の先端から水などの洗浄液が水吐出穴及び空気穴から吐出して、おしりなどを洗浄出来る。また、円錐形状又は多角錘形状の水吐出部材は材質により使い捨ても可能になっている。
【０００７】  本考案における洗浄液容器は、おしりを洗浄する為に用いられる洗浄液を充填する容器である。ここで洗浄液とは、通常の水、水道水、蒸留水又は、これらにアルコールや洗浄剤をふくむ洗浄液である。洗浄液容器としては、ＰＥＴボトル、ＰＰボトルなどのプラスチック容器、紙容器、金属製容器などがある。
【０００８】  本考案における洗浄液容器の形状は、通常のボトル状や蛇腹状、提灯状、風船状いずれのものでも構わない。
【０００９】  図１は本考案のおしり洗浄器具である。洗浄液容器２の口部４に、先端に水吐出穴３ａ及び空気穴３ｂを有する円錐形状の水吐出部材１を備えるものである。
【００１０】  図２は本考案のおしり洗浄器具に適用する円錐形状の水吐出部材である。先端の複数の小穴は、水吐出穴３ａ及び空気穴３ｂである。
【００１１】  図３は本考案のおしり洗浄器具に適用する多角錐形状の水吐出部材である。先端の複数の小穴は、水吐出穴３ａ及び空気穴３ｂである。
【００１２】  本考案における上記円錐形状または、上記多角錐状の水吐出部材は、洗浄液を吐出する複数の小穴が、その先端付近に有するために、洗浄液容器を手で繰り返し押すことによって、洗浄される部位に、勢いよく洗浄液がシューッと噴射することを特徴としている。
【００１３】  図５は本考案の係合する前のおしり洗浄器具である。水吐出部材１は、洗浄液容器２の口部４と係合される蓋部５を備えている。使用後に係合を外して水吐出部材１は使い捨てができる。
【００１４】  図７は水吐出部材を構成する円錐形状又は多角錘状の組立前のシート図である。切り取って丸めて接合する。なお、水吐出部材は金型を使用した射出成形などによっても製造する事ができる。
【図面の簡単な説明】
【００１５】
【図１】本考案のおしり洗浄器具の実施例を示す構成図である。
【図２】本考案のおしり洗浄器具に適用する円錐形状の水吐出部材を示すものであり、蓋部と係合した構成図である。
【図３】本考案のおしり洗浄器具に適用する多角錐形状の水吐出部材を示すものであり、蓋部と係合した構成図である。
【図４】本考案の水吐出部材を示すものであり、円錐形状又は多角錘状を蓋部を係合して一体化した水吐出部材（断面図）の一例である。
【図５】本考案に使用される洗浄液容器の口部から水吐出部材を取り外した構成図である。
【図６】本考案に使用される蛇腹状の洗浄液容器である。
【図７】水吐出部材を構成する円錐形状又は多角錘状の組立前のシートから切り取った図である。
【符号の説明】
【００１６】１  水吐出部材
２  洗浄液容器
３ａ  水吐出穴
３ｂ  空気穴
４  口部
５  蓋部
【図１】
0003221788.tif 000003
【図２】
0003221788.tif 000004
【図３】
0003221788.tif 000005
【図４】
0003221788.tif 000006
【図５】
0003221788.tif 000007
【図６】
0003221788.tif 000008
【図７】
0003221788.tif 000009
(57)【要約】      （修正有）【課題】ロードヒーティングや融雪装置、床暖房などの熱伝達において、伝熱管又は伝熱線類を用いた伝熱設備の設置構造を提供する。【解決手段】ロードヒーティングや融雪装置、床暖房などの施工下地に沿って、伝熱管１又は伝熱線類を一続きの略二重渦巻き状に形成して配置・固定して敷設し伝熱設備の設置構造とし、外部熱源との接続部２と外部熱源とを接続・連動する。【選択図】図１
0003221789.tif 000002
【実用新案登録請求の範囲】
【請求項１】
ロードヒーティングや融雪装置、床暖房などの施工下地に沿って、伝熱管又は伝熱線類を一続きの略二重渦巻き状に形成して配置・固定して敷設し伝熱設備の設置構造とし、外部熱源との接続部と外部熱源とを接続・連動することで熱伝達を開始する伝熱設備の設置構造。
【考案の詳細な説明】
【技術分野】
【０００１】  本考案は、ロードヒーティングや融雪装置、床暖房などの熱伝達に関し、詳しくは伝熱管又は伝熱線類を用いた伝熱設備の設置構造に関する。
【背景技術】
【０００２】  従来より、ロードヒーティングや融雪装置、床暖房などは既に広く普及しており、道路等の融雪や室内暖房の手段として広く採用されている。【０００３】  しかしながら、従来の一般的な配管あるいは配線を用いた伝熱設備に於いては、設置構造に、破損や伝熱効果に係る問題を有していた。
【先行技術文献】
【特許文献】
【０００４】
【特許文献１】特開２００９−２６３７号公報  図１
【考案の概要】
【考案が解決しようとする課題】
【０００５】  本考案は、ロードヒーティングや融雪装置、床暖房などの熱伝達において、伝熱管又は伝熱線類を用いた伝熱設備の設置構造を提供する。
【課題を解決するための手段】
【０００６】  ロードヒーティングや融雪装置、床暖房などの施工下地に沿って、伝熱管１又は伝熱線類を一続きの略二重渦巻き状に形成して配置・固定して敷設し伝熱設備の設置構造とし、外部熱源との接続部２と外部熱源とを接続・連動することで熱伝達を開始する。
【考案の効果】
【０００７】  本考案によれば、伝熱管又は伝熱線類を一続きの略二重渦巻き状に形成して配置・固定して敷設する伝熱設備の設置構造としたことから、伝熱媒体の急な湾曲カ所が減り、例えば伝熱管の場合、中を流れる液体の流水抵抗が軽減され、スムーズな水流による伝熱効果をもたらすとともに該伝熱管の破損軽減につながる効果が期待できる。【０００８】また、伝熱線類においても、効率よく発熱し熱を伝える効果が期待できる。
【図面の簡単な説明】
【０００９】
【図１】  本考案に於ける伝熱設備の設置構造の説明図である。
【考案を実施するための形態】
【００１０】  以下、本考案の実施の形態について、図面を参照して説明する。
図１に示すように、ロードヒーティングや融雪装置、床暖房などの施工下地に沿って、伝熱管１又は伝熱線類を一続きの略二重渦巻き状に形成して配置・固定して敷設し伝熱設備の設置構造とし、外部熱源との接続部２と外部熱源とを接続・連動することで熱伝達を開始する。
【符号の説明】
【００１１】  １    伝熱管
２    外部熱源との接続部
【図１】
0003221789.tif 000003
(57)【要約】      （修正有）【課題】マンションのベランダに設置されている側溝などの狭い空間の清掃にも対応できるペア塵取り器を提供する。【解決手段】大塵取り器１と小塵取り器２が側壁外側で結合部を介して結合した形態をとり、底板と底板の３方縁で略垂直に立ち上がる壁で構成され、壁のない開口部が掃き入れ口で、背面の後壁には把手取り付け部１４、２４を付設し、小塵取り器は大塵取り器と形状は全く同じで、後壁２２の横幅をベランダの側溝に収まるサイズにした。【選択図】図１
0003221787.tif 000002
【実用新案登録請求の範囲】
【請求項１】
大塵取り器と小塵取り器が側壁の外側で結合部を介して結合した形態をとり、大塵取り器は、底板と底板の３方縁で略垂直に立ち上がる壁で構成され、壁のない開口部が掃き入れ口で、背面の後壁には把手取り付け部を付設し、小塵取り器は大塵取り器と形状は全く同じで、後壁の横幅をベランダの側溝に収まるサイズにしたペア塵取り器。
【請求項２】
大塵取り器の後壁外側に取り付ける把手取り付け部の位置は、ペア塵取り器の把手を持ったときに左右の重さのバランスがとれる部位とし、小塵取り器の後壁外側に取り付ける把手取り付け部の位置は、後壁外側の中心部になる請求項１のペア塵取り器。
【考案の詳細な説明】
【技術分野】
【０００１】  本考案はマンションのベランダに設置されている側溝などの狭い空間の清掃にも対応できるペア塵取り器に関するものである。
【背景技術】
【０００２】  マンションの側溝専用に作られた小形の塵取り器は存在していた。また、通常清掃時における塵取り器と同様に使用できるものでありながら、塵取り器本体の一側に偏した箇所に前後にスライドする塵取り補助体を設置することで、ベランダの側溝を清掃することも可能な塵取り器が考案されている。
【先行技術文献】
【特許文献】
【０００３】
【特許文献１】実願２０１０−６８６７
【考案の概要】
【考案が解決しようとする課題】
【０００４】（イ）文献１ではベランダの側溝の清掃の際は、塵取り補助体の先端縁部分が塵取り器本体の先端縁部分より前方に突出した形態にして、塵取り補助体の先端部を側溝内に入れて側溝内の塵を塵取り補助体の底壁を介して塵取り本体の底壁上に掃き込むようにして集める。
（ロ）塵取り器本体と塵取り補助体が分離できないので、側溝に塵取り補助体の先端縁部分を挿入するためには塵取り器本体の後壁側を持ち上げ、側溝面に対し角度を作る必要がある。塵取り器本体と塵取り補助体が斜めに傾斜した状態で、側溝の塵を塵取り器本体の後壁付近まで掃き上げて静置させても底壁が平面なので、次の塵を掃き上げるときに、先に掃き取った塵がこぼれ落ちてくる。
（ハ）補助体の側壁は片側しかないので、塵を先端縁部分から塵取り器本体まで掃き上げるとき、側壁がない方から塵がこぼれ落ちる可能性が大である。
本考案は、以上の問題点を解決するためになされたものである。
【課題を解決するための手段】
【０００５】（イ）大塵取り器と小塵取り器が側壁の外側で結合部を介して結合した形態をとる。
（ロ）大塵取り器は、底板と底板の３方縁で略垂直に立ち上がる壁で形成され、壁のない開口部が掃き入れ口で、これを正面とする。背面の後壁には把手取り付け部を付設する。
（ハ）小塵取り器は大塵取り器と形状が全く同じで、後壁の横幅をベランダの側溝に収まるサイズにする。
（二）ペア塵取り器の幅は、大塵取り器の横幅と小塵取り器の横幅を足した長さで、市販の塵取り器の横幅とほぼ同じにする。
（ホ）大塵取り器の後壁の把手取り付け部位は、ペア塵取り器の把手を持ったとき左右の重さのバランスがとれる部位にする。小塵取り器の後壁の把手取り付け部位は、後壁の中心にする。
以上の構成よりなるペア塵取り器。
【考案の効果】
【０００６】（イ）ベランダの側溝を掃除する際は、小塵取り器が大塵取り器から簡単に切り離すことができ、側溝に直接静置できるので塵を小塵取り器に掃き入れるのが容易になった。
（ロ）小塵取り器には左右に側壁があるので、塵を小塵取り器に掃き入れる際、こぼれ落ちる塵が全くなくなった。
（ハ）ベランダの側溝を掃除する専用塵取り器と市販の塵取り器を二つ購入する必要がなく、経済的である。
【図面の簡単な説明】
【０００７】
【図１】本考案の斜視図である。
【図２】（ｋ）本考案を上から見た平面図である。（ｗ）ｋの一部である円内を示す部分拡大図である。
【図３】（ｋ）本考案の背面図である。（ｗ）ｋの一部である円内を示す部分拡大図である。
【図４】（ｋ）大塵取り器、結合部凹の部位を示す一部拡大斜視図である。（ｗ）小塵取り器、結合部凸の部位を示す一部拡大斜視図である。
【図５】ベランダの側溝に小塵取り器を設置したときの斜視図である。
【考案を実施するための形態】
【０００８】  以下、本考案の実施の形態を説明する。
（イ）本体のペア塵取り器は大塵取り器（１）と小塵取り器（２）が夫々の結合部（１６、２５）を介して結合した形態をとる。
（ロ）大塵取り器（１）は、底板大（１１）と底板大（１１）の３方縁で略垂直に立ち上がる壁で形成され、壁のない開口部が掃き入れ口であり、こちらを正面とする。背面の後壁大（１２）外側には把手取り付け部大（１４）を設ける。小塵取り器（２）は大塵取り器（１）と形状は全く同じで、後壁小（２２）の横幅をベランダの側溝に収まるサイズにする。
（ハ）大塵取り器（１）の右側壁大（１３）外側の結合部凹（１６）は鞘の形状をもち、小塵取り器（２）の左側壁小（２３）外側の結合部凸（２５）は板状で、大塵取り器（１）の結合部凹（１６）に挿入することで二つの塵取り器を結合させる。
（二）大塵取り器（１）の後壁大（１２）外側に設ける把手取り付け部大（１４）の位置は、ペア塵取り器全体の左右の重さのバランスがとれる部位で、大塵取り器（１）の右側壁大（１３）に近い部位になる。
（ホ）小塵取り器（２）の後壁小（２２）外側に設ける把手取り付け部小（２４）は、後壁小（２２）外側の中心部になる。
（ヘ）把手（１５）は円筒体で、片端内壁にはネジが刻み込まれているので、大塵取り器（１）と小塵取り器（２）の後壁（１２、２２）外側に付設された把手取り付け部（１４，２４）にねじ込んで固定することができる。
【符号の説明】
【０００９】  １大塵取り器、２小塵取り器、３ベランダの側溝、１１底板大、１２後壁大、１３側壁大、１４把手取り付け部大、１５把手、１６結合部凹、２１底板小、２２後壁小、２３側壁小、２４把手取り付け部小、２５結合部凸、
【図１】
0003221787.tif 000003
【図２】
0003221787.tif 000004
【図３】
0003221787.tif 000005
【図４】
0003221787.tif 000006
【図５】
0003221787.tif 000007
(57)【要約】【課題】  既存技術の不足に対し、高強度傘を提供する。【解決手段】中棒本体1、傘布と中棒本体1を囲むように設けられる複数グループのフレーム2を含み、前記フレームが互いに合せて接続する受骨と親骨とを含み、前記傘布が中棒本体と親骨に合せて接続し、前記親骨が正三角柱であり、前記親骨が中棒本体に合せて設けられ、且つ親骨の片面が前記傘布と接触していることを特徴とする高強度傘を開示し、本考案の利点は、親骨は正三角柱型を採用しており、その対称性により、親骨とジョイントとダボの射出成型接続は非常に便利で、正三角柱型の親骨は曲げ強さが高く、安定性が良く、親骨が中棒本体に合せて設けられ、且つ親骨の片面が前記傘布に接触しており、親骨と傘布の接触面積が大きくなり、正三角柱型の親骨の安定性に加えて、親骨が滑りにくくなる。  【選択図】  図１
0003221713.tif 000002
【実用新案登録請求の範囲】
【請求項１】
中棒本体、傘布と中棒本体を囲むように設けられた複数グループのフレームを含み、
前記フレームは互いに合せて接続する受骨と親骨を含み、
前記傘布は中棒本体と親骨に合せて接続され、
前記親骨は正三角柱であり、前記親骨は中棒本体に設けられ、且つ、親骨の片面が前記傘布に接触していることを特徴とする高強度傘。
【請求項２】
前記親骨の三つの側辺はアーク型側辺であることを特徴とする請求項1に記載の高強度傘。
【請求項３】
前記親骨に、前記受骨の開口部の動きに対応するためのショック防止ゴムスリーブが嵌めてあることを特徴とする請求項1に記載の高強度傘。
【請求項４】
前記親骨はFRPで作られていることを特徴とする請求項1に記載の高強度傘。
【考案の詳細な説明】
【技術分野】
【０００１】
本考案は傘に関する技術分野に属し、特に高強度傘に関する。
【背景技術】
【０００２】
傘は日よけまたは雨よけの常用道具であり、日常生活の中で重要な役割を果たしているが、従来の傘の場合、普遍的に一つの問題がある。すなわち、傘がしばらく使われると、親骨がわずかに変形し、傘を閉じる時に、親骨の記憶疲労度によって、親骨がわずかに曲がり、このまま続いていくと、親骨が厳しく変形し、傘の耐用期間を短縮させ、また、傘の中央位置に「膨らみ」が形成し、傘全体の美しさに影響する。現在使用されている親骨は不規則な形状が多く、親骨とジョイントとダボとの接続は角度を慎重に調整する必要があり、親骨とジョイントとダボとの接続作業が非常に面倒である。この故に、これを改善する必要がある。
【考案の概要】
【考案が解決しようとする課題】
【０００３】
本考案の目的は、上述された既存技術の不足に対し、高強度傘を提供することである。
【課題を解決するための手段】
【０００４】
本考案は、中棒本体、傘布と中棒本体を囲むように設けられた複数グループのフレームを含み、前記フレームが互いに合せて接続する受骨と親骨を含み、前記傘布が中棒本体と親骨に合せて接続され、前記親骨が正三角柱であり、前記親骨が中棒本体に設けられ、且つ、親骨の片面が前記傘布に接触している高強度傘を提供する。
【０００５】
前記親骨の三つの側辺はアーク型側辺である。
【０００６】
前記親骨に受骨の開口部の動きに対応するためのショック防止ゴムスリーブが嵌めてある。
【０００７】
前記親骨はFRPで作られている。
【０００８】
上述された構造を採用すると、既存技術と比べて、本考案は下記の利点を持っている。
【０００９】
１．親骨は正三角柱型を採用しており、その対称性によって、親骨とジョイントとダボとの射出成型接続が非常に便利である。
【００１０】
２．正三角柱型の親骨は曲がる強度が高く、安定性が良い。
【００１１】
３．親骨が中棒本体に合せて設けられ、且つ親骨の片面が前記傘布に接触することで、親骨と傘布の接触面積が大きくなり、正三角柱型の親骨の安定性に加えて、親骨が滑りにくくなる。
【図面の簡単な説明】
【００１２】
【図１】本考案の実施形態の高強度傘の構造図である。
【図２】同じく高強度傘の親骨の断面図である。
【考案を実施するための形態】
【００１３】
下記に述べられたのは本考案の好ましい実施例のみであり、本考案はその実施例に限定されるものではない。以下は図面と実施例を参照して本考案についてより詳しく説明する。
【００１４】
本考案実施例の高強度傘は図1と図2に示された通りである。高強度傘は、中棒本体1、傘布と中棒本体1を囲むように設けられた複数グループのフレーム2を含む。中棒本体1は中棒3及び中棒3に合せて設けられた上ろくろ4、下ろくろ5とハンドル6を含む。フレーム2はダボ7を通じて互いに接続されている受骨8と親骨9を含む。受骨8はジョイントを通じて下ろくろ5と接続する。親骨9は親骨9にある接続部10を通じて上ろくろ4と接続し、その中で、ダボ7と接続部10は親骨9に接続され、傘布は中棒本体1と親骨9に合せて接続されている。
【００１５】
親骨9は図2に示す通り、正三角柱であり、親骨9は中棒本体1に合せて設けられ、且つ、親骨9の片面が傘布と接触している。親骨9の三つの側辺はアーク型側辺である。親骨9は正三角柱型を採用しており、その対称性により、親骨9と接続部10とダボ7との射出成型接続は非常に便利になる。親骨9の三つの側辺はアーク型側辺であり、傘布を磨耗しにくくなる。
【００１６】
親骨9には、受骨8のシャープな開口部の動きに対応するためのショック防止ゴムスリーブ11を嵌めており、その中で、シャープな開口部は受骨8にあるジョイントであり、ショック防止ゴムスリーブ11はジョイントが親骨9を磨耗することを避けることができる。
【００１７】
親骨9はFRPで作られたものであり、FRPは繊維強化プラスチックである。FRPの引張強さが高く、塑性変形はほとんど発生せず、引張時に応力、歪みは脆性破壊になるまで線形弾性を呈して上昇する。FRPは耐腐食性能と耐疲労性能が強いため、耐用期間が長い。FRPは比強度が高く、いわゆる軽量高強度であるため、FRP材料を採用すると構造の自重が軽減され、施工が簡単になり、その重量はふつう鋼材の20 %である。それゆえに、FRP製の親骨9は強度が良く、変形しにくく、耐用期間が長く、重量が軽いという利点を持っている。
【符号の説明】
【００１８】
1    ：中棒本体
2    ：フレーム
3    ：中棒
4    ：上ろくろ
5    ：下ろくろ
6    ：ハンドル
7    ：ダボ
8    ：受骨
9    ：親骨
10  ：接続部
11  ：ショック防止ゴムスリーブ
【図１】
0003221713.tif 000003
【図２】
0003221713.tif 000004
(57)【要約】      （修正有）【課題】視覚過敏であっても容易に文字を書くことができる記入用紙を提供する。【解決手段】記入用紙１０は、用紙１１に文字や数字等の記号を記入する複数の四角枠１２が印刷されて設けられている。四角枠１２の中には、対向する角部を結ぶ２本の対角線１３が印刷されて設けられており、他の線は設けられていない。２本の対角線１３は、蛍光色により描かれている。【選択図】図１
0003221723.tif 000002
【実用新案登録請求の範囲】
【請求項１】
四角枠が設けられた記入用紙であって、
前記四角枠の中には、対向する角部を結ぶ蛍光色で描かれた２本の対角線のみが設けられたことを特徴とする記入用紙。
【請求項２】
前記四角枠は黒色及び白色を除く他の色で描かれていることを特徴とする請求項１記載の記入用紙。
【考案の詳細な説明】
【技術分野】
【０００１】
本考案は、文字等を記入する四角枠が設けられた記入用紙に関するものである。
【背景技術】
【０００２】
視覚過敏は、視覚情報の処理に関するはたらきに偏りがあるために、光の刺激を過剰に受け取ってしまうものであり、最近になり、感覚障害の一つとして知られるようになってきている。視覚過敏の場合、個人により見え方は様々であるが、白い部分が明るく見えすぎて黒い部分が見えにくくなるという現象がみられる場合がある。このような場合、ノートに文字を書こうとしても、文字を記入する四角枠や、書いている文字が見えにくく、文字が四角枠から大きくはみ出して上手に文字を書くことができない。そのため、知的には問題がないにもかかわらず、学習及び日常生活に障害がでてしまうという問題があった。
【先行技術文献】
【特許文献】
【０００３】
【特許文献１】特開２０１７−２０３９６９号公報
【考案の概要】
【考案が解決しようとする課題】
【０００４】
本考案は、このような問題に基づきなされたものであり、視覚過敏であっても容易に文字を書くことができる記入用紙を提供することを目的とする。
【０００５】
なお、特許文献１には、ノート用紙に文字を記入するためのマスを設け、各マスの四角のなかに、９分割するための縦横２本ずつの点線を設けたノートが記載されている。しかし、特許文献１は視覚過敏について考えているものではなく、本願考案とは具体的な構成が異なっている。
【課題を解決するための手段】
【０００６】
四角枠が設けられた記入用紙であって、四角枠の中には、対向する角部を結ぶ蛍光色で描かれた２本の対角線のみが設けられたものである。
【考案の効果】
【０００７】
本考案によれば、四角枠の中に蛍光色で描かれた２本の対角線のみを設けるようにしたので、視覚過敏であっても、文字や数字等の記号を書く位置が認識しやすくなり、容易に文字等を書くことができる。また、四角枠を黒色及び白色を除く他の色で描くようにすれば、より容易に文字等を書くことができる。
【図面の簡単な説明】
【０００８】
【図１】本考案の一実施の形態に係る記入用紙の構成を表す図である。
【図２】図１に示した１つの四角枠の部分を拡大して表す図である。
【図３】本考案の一実施の形態に係る記入用紙の変形例を表す図である。
【考案を実施するための形態】
【０００９】
以下、本考案の実施の形態について、図面を参照して詳細に説明する。
【００１０】
図１は、本考案の一実施の形態に係る記入用紙１０の構成を表すものである。この記入用紙１０は、用紙１１に文字や数字等の記号を記入する複数の四角枠１２が印刷されて設けられている。四角枠１２は、正方形でも長方形でもよい。配置も特に限定されないが、例えば、図１に示したように、縦方向及び横方向に複数ずつ並べて設けられる。
【００１１】
図２は、１つの四角枠１２の部分を拡大して表すものである。四角枠１２の中には、対向する角部を結ぶ２本の対角線１３が印刷されて設けられており、他の線は設けられていない。すなわち、四角枠１２の中には２本の対角線１３のみが設けられ、２本の対角線１３は四角枠１２の中央部において交差している。この２本の対角線１３は、蛍光色により描かれている。蛍光色というのは、蛍光顔料などの蛍光色素を用いた色である。
【００１２】
このように四角枠１２の中に蛍光色の２本の対角線１３のみを設けることにより、視覚過敏であっても、文字や数字等の記号を書く位置が認識しやすくなる。また、四角枠１２の中に対角線１３を設けただけであるので、一般的に用いられている四角枠１２のみを設けたものや、例えば特許文献１に記載されているように、四角枠１２の中に縦線及び横線の補助線を設けたものと見た目に大きな違いがなく、違和感なく使用することが可能である。特に、子供の場合、他の子供が違和感を感じることなく使用することができると共に、この記入用紙１０を使用することにより、特別な対応をとることなく、他の子供と同じように学習することができる。更に、対角線１３が蛍光色により描かれているので、見た目が明るくきれいであり、視覚過敏の子供も、他の子供も違和感なく受け入れやすい。
【００１３】
２本の対角線１３の色は、全て同一の色で描かれていてもよいが、例えば、行ごと、列ごと、又は、四角枠１２ごとで色が異なっていてもよい。また、四角枠１２は黒色で描かれていてもよいが、黒色及び白色を除く他の色で描かれることが好ましく、蛍光色でない方が好ましい。より認識しやすくなるからである。
【００１４】
なお、図１では四角枠１２を縦方向及び横方向に接して設ける場合について示したが、例えば図２に示したように、横方向に間隔１４を開けて設けるようにしてもよく、図示しないが、縦方向に間隔を開けて、又は、縦方向及び横方向に間隔を開けて設けるようにしてもよい。
【００１５】
このように本実施の形態によれば、四角枠１２の中に蛍光色で描かれた２本の対角線１３のみを設けるようにしたので、視覚過敏であっても、文字や数字等の記号を書く位置が認識しやすくなり、容易に文字等を書くことができる。また、四角枠１２を黒色及び白色を除く他の色で描くようにすれば、より容易に文字等を書くことができる。
【００１６】
以上、実施の形態を挙げて本考案を説明したが、本考案は上記実施の形態に限定されるものではなく、種々変形可能である。
【産業上の利用可能性】
【００１７】
文字や数字等の記号を記入する用紙に用いることができる。
【符号の説明】
【００１８】
１０…記入用紙、１１…用紙、１２…四角枠、１３…対角線、１４…間隔
【図１】
0003221723.tif 000003
【図２】
0003221723.tif 000004
【図３】
0003221723.tif 000005